(57)【特許請求の範囲】
【請求項１】
所望の幅及び長さの金属板を、その長さ方向にほぼ直角に折り曲げ、該折り曲げによって形成された一方の折り曲げ辺（１２）の面をスタッド当接面とし、他方の折り曲げ辺（１７）を所定の幅（ｓ）を有するように更にほぼ直角に内側に折り曲げ、該折り曲げによって形成された折り曲げ辺（１１）の面をランナ当接面とし、上記折り曲げ辺（１２）から所定の間隔（ｖ）を有し且つ折り曲げ辺（１２）に平行なスタッド掛け部（１３）を、上記折り曲げ辺（１７）の延長部（１８）に一体的に設けたことを特徴とする間仕切り壁用スペーサ（Ａ）。
【請求項２】
折り曲げ辺（１１）を所定の幅（ｔ）を有するようにほぼ直角に内側に折り曲げ、その折り曲げ辺（１５）の先端が辺（１２）の裏面に当接するようにした請求項１に記載の間仕切り壁用スペーサ（Ａ）。
【請求項３】
所望の幅及び長さの金属板を、その長さ方向にほぼ直角に折り曲げ、該折り曲げによって形成された一方の折り曲げ辺（６）の面をランナ当接面とし、該折り曲げ辺（６）を所望の幅（ｂ）を有するように更に内側に折り曲げ、該折り曲げによって形成された幅（ｃ）の折り曲げ辺（７）の先端をスタッド当接面とし、他方の折り曲げ辺（９）の少なくとも一方の側端部を内側に折り曲げ、該折り曲げによって形成された折り曲げ辺（１０）の両端部に凹部（１１，１１）を形成し、該折り曲げ辺（１０）をスタッドスペーサとしたことを特徴とする間仕切り壁用スペーサ（Ｂ）。
【請求項４】
折り曲げ辺（７）を更に任意の幅（ｄ）を有するように折り曲げ、該折り曲げによって形成された折り曲げ辺（８）の面をスタッド当接面とし、折り曲げ辺（８）の一方の端部に、スペーサの落下防止手段（１４）を設け、該落下防止手段が、スタッドの頂部側面に掛かる掛け具（１４）である請求項３に記載の間仕切り壁用スペーサ（Ｂ）。
【請求項５】
建物内部の天井部と床部に、一対の断面コの字型ランナ（１，１）を相対向して設け、該上下のランナの間に該ランナに対してほぼ垂直に複数本の断面Ｃ型スタッド（２，２，・・・）を配設し、該スタッドの両面に壁材（３，３）を固定してなり、上記ランナの内幅が上記スタッドの外幅より大であり、且つ上記スタッドを上記ランナ間に千鳥構造で固定する間仕切り壁の施工方法において、上記スタッドの少なくとも頂部側面に請求項１〜４のいずれか１項に記載のスペーサ（Ａ）又は（Ｂ）を配設することを特徴とする間仕切り壁の施工方法。
【発明の詳細な説明】
【０００１】
【発明の属する技術分野】
本発明は、建築物の間仕切り壁の形成に有用である間仕切り壁用スペーサと、該間仕切り壁用スペーサを使用する間仕切り壁の施工方法に関する。
【０００２】
【従来の技術】
従来より、建築物の間仕切り壁の施工は、図１０に概略示す方法で行われている。即ち、建物内部の天井部及び床部に、断面コの字型のランナ１，１をその開口部が上下相対向するように釘やビス等の適当な固定具により設け、該ランナ１，１の間に一定間隔をおいて断面Ｃ型のスタッド（間柱）２，２，・・・を立設し、該スタッドに対して石膏ボード３，３等の壁材を貼り付け固定して行われている。
【０００３】
一般に、間仕切り壁には、断熱性、防火・耐火性及び遮音性等が要求されるが、特に遮音性に関し、間仕切り壁における音の伝わり方としては、固体を通して伝わる固体伝播と、空気を介して伝わる空気伝播とがある。間仕切り壁の遮音性を向上させる工法の１つとして、上記の固体伝播を有効に抑制すべく、前記スタッド２，２，・・・として、上記ランナより幅の狭いものを使用し、且つこれらのスタッドを千鳥構造に配設する工法が一般に採用されている。
【０００４】
図９は、図１０に示す構造を一点鎖線で示す面からみたＸ−Ｘ矢視図であり、図１０に示すランナ１の下向きの両辺１’，１’に、ランナ１よりも断面形状が小さい断面Ｃ型スタッド２，２，・・・が、ランナ１の両辺１’，１’の内側にビス等の適当な手段により、交互に固定されている。このようにスタッド２，２，・・・をランナ１内に千鳥構造に配設することによって、間仕切り壁における音の固体伝播が減少して遮音性が向上する。このような千鳥構造の場合には、図９に示すように上下一対のランナ１の両辺１’，１’の内面とスタッド２，２，・・・との間にはスペースが生じるので、従来はこのスペースに適当なスペーサ４を配設して間仕切り壁を施工している。
【０００５】
このスペースを充填する方法としては、例えば、壁材として用いる石膏ボードの切れ端を５０×５０ｍｍ程度の大きさに切断し、これを重ねて一定の厚みとした上で前記スペースにスペーサ４として挿入している。しかしながら、この方法ではランナ１，１間にスタッド２，２，・・・を配設する際、或いはスタッド２，２，・・・の位置を微調整する際に、該スペーサ４がずれたり、ずり落ちたりすることがある。従来は、それらのずれやずり落ち防止のためにガムテープ等で該スペーサ４をランナ１或いはスタッド２，２，・・・に固定しているが、係る作業は非常に煩雑であって間仕切り壁の施工効率が低下する。
【０００６】
又、一般に間仕切り壁には、特に面外剛性（間仕切り壁の壁面に対する垂直方向の荷重に対する剛性）が要求されるが、現在一般に普及している断面Ｃ型のスタッドを用いて構成された間仕切り壁は、スタッドが断面Ｃ型であることから、何らの補強措置をも採らなければ、十分な面外剛性を得ることができない。そこで図１０に示す如くスタッド２，２，・・・の上端及び下端、更には中間部分に断面Ｃ型構造のスタッドを補強する複数のスタッドスペーサ５，５，・・・を別に取り付ける必要があった。
以上のように従来の技術では、ランナ１，１とスタッド２，２，・・・との間に形成されるスペースの充填及びその保持に問題があり、又、別の問題として、形成される間仕切り壁に面外剛性を付与するために多数のスタッドスペーサ５が必要とされ、それらの取扱が煩雑であるという問題もある。
【０００７】
【発明が解決しようとする課題】
従って本発明の第１の目的は、千鳥構造の間仕切り壁における上下のランナとスタッドとの間に生じるスペースを、施工時にずれたり、ずり落ちたりすることなく効果的に充填することができ、従って遮音性に優れた間仕切り壁を施工することができる間仕切り壁用スペーサ及びそれを用いた間仕切り壁の施工方法を提供することにある。
【０００８】
更に本発明の第２の目的は、上記作用とともに、スタッドスペーサとしても機能して、構成される間仕切り壁に十分な面外剛性を与えることができる間仕切り壁用スペーサ及びそれを用いた間仕切り壁の施工方法を提供することにある。
【０００９】
【課題を解決するための手段】
上記第１の目的は、以下の第１の本発明により達成される。即ち、第１の発明は、所望の幅及び長さの金属板を、その長さ方向にほぼ直角に折り曲げ、該折り曲げによって形成された一方の折り曲げ辺（１２）の面をスタッド当接面とし、他方の折り曲げ辺（１７）を所定の幅（ｓ）を有するように更にほぼ直角に内側に折り曲げ、該折り曲げによって形成された折り曲げ辺（１１）の面をランナ当接面とし、上記折り曲げ辺（１２）から所定の間隔（ｖ）を有し且つ折り曲げ辺（１２）に平行なスタッド掛け部（１３）を、上記折り曲げ辺（１７）の延長部（１８）に一体的に設けたことを特徴とする間仕切り壁用スペーサ（Ａ）、及び該スペーサ（Ａ）を用いる間仕切り壁の施工方法である。
【００１０】
又、上記第２の目的は、以下の第２の本発明により達成される。即ち、第２の発明は、所望の幅及び長さの金属板を、その長さ方向にほぼ直角に折り曲げ、該折り曲げによって形成された一方の折り曲げ辺（６）の面をランナ当接面とし、該折り曲げ辺（６）を所望の幅（ｂ）を有するように更に内側に折り曲げ、該折り曲げによって形成された幅（ｃ）の折り曲げ辺（７）の先端をスタッド当接面とし、他方の折り曲げ辺（９）の少なくとも一方の側端部を内側に折り曲げ、該折り曲げによって形成された折り曲げ辺（１０）の両端部に凹部（１１，１１）を形成し、該折り曲げ辺（１０）をスタッドスペーサとしたことを特徴とする間仕切り壁用スペーサ（Ｂ）、及び該スペーサ（Ｂ）を用いる間仕切り壁の施工方法である。
【００１１】
【発明の実施の形態】
次に本発明を図面を参照して更に具体的に説明する。
先ず、第１の本発明のスペーサＡについて説明する。
本発明のスペーサＡは、図１に示すような構成を有している。即ち、所望の幅及び長さの金属板を、その長さ方向にほぼ直角に折り曲げ、該折り曲げによって形成された一方の折り曲げ辺１２を、図３に示すように、スタッド２の側面に当接する面とする。そして他方の折り曲げ辺１７を所定の幅ｓを有するように、更にほぼ直角に内側に折り曲げる。この幅ｓが図３に示すランナ１とスタッド２との幅の差にほぼ相当する。該折り曲げによって形成された折り曲げ辺１１を、図３に示すようにランナ１の一方の辺１’の内面に当接する面とする。
【００１２】
更に上記スタッド当接面である折り曲げ辺１２から所定の間隔ｖを有し且つ折り曲げ辺１２に平行なスタッド掛け部１３を、上記折り曲げ辺１７の延長部１８に一体的に設け、図３に示すように、このスタッド掛け部１３によって、スペーサＡがスタッド２の頂部側面に掛けられて保持されるようになっている。
又、本発明の好ましい実施の形態では、上記のスペーサＡにおいて、そのランナ当接面である折り曲げ辺１１を所定の幅ｔを有するようにほぼ直角に内側に折り曲げ、図２に示すように、その折り曲げ辺１５の先端が折り曲げ辺１２の裏面に接するようにして、折り曲げ辺１１が内側に撓むのを防止し、最終的に構成される間仕切り壁の面外剛性を向上させる。
【００１３】
又、本発明のスペーサＡは、図３及び図４に示すように、スタッド２の側面に固定されるので、スタッド２の開口部に影響を与えることがなく、従って従来公知のスタッド補強用のスタッドスペーサ５を本発明のスペーサＡとを略同一線上に設置することもでき、最終的に構成される間仕切り壁の面外剛性が向上する。
【００１４】
以上の如き本発明のスペーサＡは、鋼材等の金属板をプレス成型し、且つ適当に切削加工することによって形成することができる。例えば、図１及び図２に示す例のスペーサＡは、所望の幅及び長さの平板状の金属板に、初めにスタッド掛け部１３を形成するための切り込みを入れ、その後に図示のような形状に折り曲げ加工するのみで形成することができる。この場合にはスタッド当接面である折り曲げ辺１２に切り欠き部１６が形成されるが、この切り欠き部１６は本発明のスペーサＡに何らの悪影響も与えることがない。又、別の方法としては、所望の幅及び長さの平板状の金属板を、そのスタッド掛け部１３を除き、図示の形状に折り曲げ加工し、その後に折げ部１４の線に、図示の形状のスタッド掛け部１３を溶接固定してもよい。勿論この場合には、切り欠き部１６は形成されない。
【００１５】
次に第２の本発明のスペーサＢについて説明する。
本発明のスペーサＢは、図５に示すような構成を有している。即ち、本発明のスペーサＢは、所望の幅及び長さの金属板を、その長さ方向にほぼ直角に折り曲げ、該折り曲げによって形成された一方の折り曲げ辺６の面を、図８に示すように、ランナ１の一方の辺１’の内面に当接する面とし、該折り曲げ辺６を所望の幅ｂを有するように、更に内側に折り曲げて折り曲げ辺７とする。この折り曲げ辺７の幅ｃが図８に示すランナ１とスタッド２との幅の差にほぼ相当する。該折り曲げによって形成された折り曲げ辺７の先端がスタッド２の側面に当接する。
【００１６】
又、他方の折り曲げ辺９の少なくとも一方の側端部を内側に折り曲げ、該折り曲げによって形成された折り曲げ辺１０の両端部に凹部１１，１１を形成し、該折り曲げ辺１０をスタッドスペーサとして機能させる。
更に上記スペーサＢにおいては、図６に示すように、上記折り曲げ辺７を更に任意の幅ｄを有するように折り曲げ、該折り曲げによって形成された折り曲げ辺８の面をスタッド当接面とすることによって、折り曲げ辺８の面とスタッド２の側面との当接が強化される。
【００１７】
以上の本発明のスペーサＢは、前記スペーサＢと同様に、スタッドの頂部からずれたり、ずれ落ちたりすることがなく、更にランナとスタッドとのスペーサとして機能すると同時に、スタッドの補強用スペーサとしても機能するので、間仕切り壁の施工性が向上するとともに、最終的に構成される間仕切り壁の面外剛性を向上させる。
以上の如き本発明のスペーサＢは、鋼材等の金属板をプレス成型し、且つ適当に切削加工することによって形成することができる。
【００１８】
次に本発明の間仕切り壁の施工方法について説明する。
本発明の間仕切り壁の施工方法は、上記本発明のスペーサＡ又はＢを使用することを特徴としている。先ず、従来技術と同様に、図１０に示すように、建物内部の天井部と床部に一対のランナ１，１をその開口部を相対向させて設ける。この上下のランナ１，１の間に該ランナに対してほぼ垂直に必要本数のスタッド２，２，・・・を、図９に示すように千鳥構造に配設する。
【００１９】
次に、本発明のスペーサＡを使用する場合には、スタッド２，２，・・・の配設に際して、図３又は４に示すようにスタッド２，２，・・・の頂部側面に本発明のスペーサＡをそれぞれ配設する。尚、図３は図１に示すスペーサＡを、図４は図２に示すスペーサＡをそれぞれ断面Ｃ型のスタッド２，２，・・・の頂部側面に取り付けた状態を示す斜視図である。
スペーサＡはスタッド２，２，・・・の頂部側面に貼り付くように保持され、それと略同一の高さのスタッド２，２，・・・の開口部に従来公知のスタッドスペーサ５を設置することができる。
【００２０】
一方、本発明のスペーサＢを使用する場合には、図８に示すように、本発明のスペーサＢを断面Ｃ型のスタッド２，２，・・・の頂部側面に取り付ける。本発明のスペーサＢの左右の凹部１１と１１との間隔ｇ（図５）は、スタッド２，２，・・・の開口部の間隔ｊよりも幾分大きく形成されている。断面Ｃ型形状のスタッド２，２，・・・の開口部は多少の力によって広がるので、スタッドの開口部を形成しているスタッド２，２，・・・の両端部１３，１３に、スペーサＢの左右の凹部１１，１１を利用して押し込むことによって、スペーサＢがスタッド２，２，・・・の頂部側面に保持される。
【００２１】
尚、図７に示すように、本発明のスペーサＢは、スペーサＢがスタッド２，２，・・・に接する折り曲げ辺８の一方の端部にスペーサＢがずり落ちるのを防止する落下防止手段１４を設けることによって、スペーサＢのずり落ちを完全に防止することができる。該落下防止手段の一例としてはクリップ状の形態を有する掛け具１４をスペーサＢと一体的に構成することが効果的である。このような落下防止手段１４を設けることによって、前記幅ｇが間隔ｊと同一又は多少狭くともスペーサＢがスタッド２，２・・・の頂部側面から下方にずり落ちることがない。
【００２２】
次に必要に応じてスタッド２，２，・・・の下部に、同様に本発明のスペーサＡ又はＢを配設することもできるが、この場合のスペーサは床面に存在するため、下方にずり落ちる心配がないので、従来技術のスペーサ（不図示）を用いてもよい。又、スタッド２，２，・・・の中間部分には従来技術と同様なスタッド補強用のスタッドスペーサ５を任意の個数で設けることができる。
尚、以上の本発明におけるスペーサＡ又はＢは、スタッド２の頂部及び底部に配設する以外に、スタッド２の中間部分に１個或いは数個を適当な間隔を置いて配設してもよい。この場合にも最終的に形成される間仕切り壁の面外剛性が更に向上する。
【００２３】
以上のようにして、上下のランナ１，１間に必要本数のスタッド２，２，・・・を固定した後、この構造物に石膏ボード等の壁材３，３をビス等の適当な手段により固定することによって、本発明の施工方法が完了する。勿論、その後にビスの打ち込みによって凹んだ壁材の部分をパテ等によって補修したり、更に壁材の表面にクロス貼り等の化粧操作を施すこともできる。
尚、上記本発明の施工方法において使用するランナ１，１、スタッド２，２，・・・、壁材３，３、スタッドスペーサ５、その他の各部材の固定具等は従来技術と同様であり、いずれも本発明においてそのまま使用することができる。
【００２４】
又、壁材としても従来技術と同様に、例えば、石膏ボード、ケイカル板、スレート板、ＰＣ板、抄造繊維石膏板、ガラス繊維補強石膏板、特願平６−１７４３０６号明細書に記載された比重が１．０〜１．６である硬質石膏板、パーチクルボード等が挙げられ、例えば、石膏ボードとしては、ＪＩＳ  Ａ  ６９０１−１９９４で定められた石膏ボード、シージングボード、強化石膏ボード、石膏ラスボード及び化粧石膏ボード等が好ましく使用される。
【００２５】
【発明の効果】
以上の如き、第１の本発明によれば、千鳥構造の間仕切り壁における上下のランナとスタッドとの間に生じるスペースを、施工時にずり落ちることなく効果的に充填することができ、従って間仕切り壁に優れた遮音性を付与し得る間仕切り壁用スペーサ及びそれを用いた間仕切り壁の施工方法を提供することができる。更に第２の本発明によれば、上記第１の本発明により得られる効果の他、スタッドの補強用スペーサとしても機能して、構成される間仕切り壁に十分な面外剛性を与えることができる間仕切り壁用スペーサ及びそれを用いた間仕切り壁の施工方法を提供することができる。
【図面の簡単な説明】
【図１】  本発明のスペーサＡの一例を示す斜視図。
【図２】  本発明のスペーサＡの他の一例を示す斜視図。
【図３】  スペーサＡをスタッドに取り付けた状態を示す斜視図。
【図４】  スペーサＡをスタッドに取り付けた状態を示す斜視図。
【図５】  スペーサＢの一例を示す斜視図。
【図６】  スペーサＢの他の一例を示す斜視図。
【図７】  スペーサＢの他の一例を示す斜視図。
【図８】  スペーサＢをスタッドに取り付けた状態を示す斜視図。
【図９】  スタッドの千鳥構造を説明する図。
【図１０】  従来の間仕切り壁の施工状態を説明する斜視図。
【符号の説明】
Ａ，Ｂ：本発明のスペーサ
１，１：ランナ
１’，１’：ランナの両辺
２，２，・・・：スタッド
３，３：壁材
４，４：従来技術のスペーサ
５，５，・・・：スタッドスペーサ
６，９，１０，１１，１２，１５，１７：折り曲げ辺
１１：凹部
１３：スタッド掛け部
１８：延長部
【図１】
0003643173.tif 000002
【図２】
0003643173.tif 000003
【図３】
0003643173.tif 000004
【図４】
0003643173.tif 000005
【図５】
0003643173.tif 000006
【図６】
0003643173.tif 000007
【図７】
0003643173.tif 000008
【図８】
0003643173.tif 000009
【図９】
0003643173.tif 000010
【図１０】
0003643173.tif 000011